【手続補正書】
【提出日】平成16年8月5日(2004.8.5)
【手続補正１】
【補正対象書類名】特許請求の範囲
【補正対象項目名】全文
【補正方法】変更
【補正の内容】
【特許請求の範囲】
【請求項１】
表示のための画像を生成する方法であって、複数のパーツ画像の中から一セットのパーツ画像を選択するステップ、前記セットのパーツ画像内の各パーツ画像に対して、表示内で占拠すべき位置を指定するステップ、前記セットのパーツ画像内の各パーツ画像に対して特性を指定するステップ、そして指定に従って各パーツ画像を表示するステップを含む方法。
【請求項２】
観点を指定するステップを含む、請求項１による方法。
【請求項３】
前記セットのパーツ画像内の各パーツ画像の特性を指定する前記ステップが、前記セットのパーツ画像内の各パーツ画像の色、前記セットのパーツ画像内の各パーツ画像のきめ、前記セットのパーツ画像内の各パーツ画像に適用すべきクラッディング、前記セットのパーツ画像内の各パーツ画像の方向、前記セットのパーツ画像内の各パーツ画像のサイズ、前記セットのパーツ画像内の各パーツ画像の透明度、前記セットのパーツ画像内の各パーツ画像の運動あるいは複数の運動の方向、前記セットのパーツ画像内の各パーツ画像の運動のタイプ、前記セットのパーツ画像内の各パーツ画像の複数の運動のタイプ、前記セットのパーツ画像内の各パーツ画像の運動のスピード、前記セットのパーツ画像内の各パーツ画像の複数の運動のスピード、前記セットのパーツ画像内の各パーツ画像に対して表示すべき時間、そして前記セットのパーツ画像内の各パーツ画像に対して表示すべき複数の時間の、少なくとも一つを指定するステップを含む、請求項１あるいは請求項２による方法。
【請求項４】
前記セットのパーツ画像をネットワーク内のサーバーから得るステップを含む、上記請求項のいずれかによる方法。
【請求項５】
前記ネットワークが移動電話ネットワークからなる、請求項４による方法。
【請求項６】
コンピュータ、パーソナル・デジタル・アシスタント及び移動電話の少なくとも一つの上に画像を表示するのに用いるための、上記請求項のいずれかによる方法。
【請求項７】
複数のパーツ画像の中からの一セットのパーツ画像からなる前記セレクション、表示内で占拠すべき位置の前記指定、そして前記セットのパーツ画像内の各パーツ画像の特性の前記指定の少なくとも一つを、テキスト・メッセージの形態で提供するステップを含む、上記請求項のいずれかによる方法。
【請求項８】
前記指定をテキスト・メッセージへの付加物として受信するステップを含む、請求項１から７のいずれかによる方法。
【請求項９】
前記セレクションを表すのに用いたコードを圧縮するステップを含む、上記請求項のいずれかによる方法。
【請求項１０】
画像を送信する方法であって、複数のパーツ画像の中から一セットのパーツ画像を指定する信号を送信するステップ、前記セットのパーツ画像内の各パーツ画像に対して、表示内で占拠すべき位置を指定する信号を送信するステップ、そして前記セットのパーツ画像内の各パーツ画像に対して特性を指定する信号を送信するステップを含む方法。
【請求項１１】
観点の指定を送信するステップを含む、請求項１０による方法。
【請求項１２】
前記セットのパーツ画像内の各パーツ画像の特性の指定を送信する前記ステップが、前記セットのパーツ画像内の各パーツ画像の色、前記セットのパーツ画像内の各パーツ画像のきめ、前記セットのパーツ画像内の各パーツ画像に適用すべきクラッディング、前記セットのパーツ画像内の各パーツ画像の方向、前記セットのパーツ画像内の各パーツ画像のサイズ、前記セットのパーツ画像内の各パーツ画像の透明度、前記セットのパーツ画像内の各パーツ画像の運動あるいは複数の運動の方向、前記セットのパーツ画像内の各パーツ画像の運動のタイプ、前記セットのパーツ画像内の各パーツ画像の複数の運動のタイプ、前記セットのパーツ画像内の各パーツ画像の運動のスピード、前記セットのパーツ画像内の各パーツ画像の複数の運動のスピード、前記セットのパーツ画像内の各パーツ画像に対して表示すべき時間、そして前記セットのパーツ画像内の各パーツ画像に対して表示すべき複数の時間の、少なくとも一つの指定を送信するステップを含む、請求項１０あるいは請求項１１による方法。
【請求項１３】
前記セットのパーツ画像をネットワーク内のサーバーから得るステップを含む、請求項１０から１２のいずれかによる方法。
【請求項１４】
前記ネットワークが移動電話ネットワークからなる、請求項１３による方法。
【請求項１５】
前記画像を、コンピュータ、パーソナル・デジタル・アシスタント及び移動電話の少なくとも一つの上に表示するのに用いるための、請求項１０から１４のいずれかによる方法。
【請求項１６】
複数のパーツ画像の中からの一セットのパーツ画像からなる前記セレクション、表示内で占拠すべき位置についての前記指定、そして前記セットのパーツ画像内の各パーツ画像に対する特性についての前記指定、の少なくとも一つをテキスト・メッセージの形態で送信するステップを含む、請求項１０から１５のいずれかによる方法。
【請求項１７】
前記指定をテキスト・メッセージへの付加物として送信するステップを含む、請求項１０から１６のいずれかによる方法。
【請求項１８】
前記指定をテキスト・メッセージへの付加物として受信するステップを含む、請求項１７による方法。
【請求項１９】
前記セレクションを圧縮コードとして送信するステップを含む、請求項１０から１８のいずれかによる方法。
【請求項２０】
画像を受信して生成する方法であって、複数のパーツ画像の中から一セットのパーツ画像を指定する信号を受信するステップ、前記セットのパーツ画像内の各パーツ画像に対して、表示内で占拠すべき位置を指定する信号を受信するステップ、前記セットのパーツ画像内の各パーツ画像に対して特性を指定する信号を受信するステップ、そして前記信号に応答して指定画像を生成して表示するステップを含む方法。
【請求項２１】
観点の指定を受信し、それに応答して指定観点を採用するステップを含む、請求項２０による方法。
【請求項２２】
前記セットのパーツ画像内の各パーツ画像の特性の指定を受信する前記ステップが、前記セットのパーツ画像内の各パーツ画像の色、前記セットのパーツ画像内の各パーツ画像のきめ、前記セットのパーツ画像内の各パーツ画像に適用すべきクラッディング、前記セットのパーツ画像内の各パーツ画像の方向、前記セットのパーツ画像内の各パーツ画像のサイズ、前記セットのパーツ画像内の各パーツ画像の透明度、前記セットのパーツ画像内の各パーツ画像の運動あるいは複数の運動の方向、前記セットのパーツ画像内の各パーツ画像の運動のタイプ、前記セットのパーツ画像内の各パーツ画像の複数の運動のタイプ前記セットのパーツ画像内の各パーツ画像の運動のスピード、前記セットのパーツ画像内の各パーツ画像の複数の運動のスピード、前記セットのパーツ画像内の各パーツ画像に対して表示すべき時間、そして前記セットのパーツ画像内の各パーツ画像に対して表示すべき複数の時間の、少なくとも一つの指定を受信するステップを含む、請求項２０あるいは請求項２１による方法。
【請求項２３】
前記セットのパーツ画像をネットワーク内のサーバーから得るステップを含む、請求項２０から２２のいずれかによる方法。
【請求項２４】
前記ネットワークが移動電話ネットワークからなる、請求項２３による方法。
【請求項２５】
前記画像を、コンピュータ、パーソナル・デジタル・アシスタント及び移動電話の少なくとも一つの上に表示するのに用いるための、請求項２０から２４のいずれかによる方法。
【請求項２６】
複数のパーツ画像の中からの一セットのパーツ画像からなる前記セレクション、表示内で占拠すべき位置の前記指定、そして前記セットのパーツ画像内の各パーツ画像の特性に関する前記指定の、少なくとも一つをテキスト・メッセージの形態で受信するステップを含む、請求項２０から２５のいずれかによる方法。
【請求項２７】
前記指定をテキスト・メッセージへの付加物として受信するステップを含む、請求項２０から２６のいずれかによる方法。
【請求項２８】
前記指定を圧縮コードとして受信するステップを含む、請求項２０から２７のいずれかによる方法。
【請求項２９】
表示のための画像を生成する装置であって、複数のパーツ画像の中から一セットのパーツ画像を選択する手段、前記セットのパーツ画像内の各パーツ画像に対して、表示内で占拠すべき位置を指定する手段、前記セットのパーツ画像内の各パーツ画像に対して特性を指定する手段、そして指定に従って各パーツ画像を表示する手段からなる装置。
【請求項３０】
観点を指定する手段を含む、請求項２９による装置。
【請求項３１】
前記セットのパーツ画像内の各パーツ画像の特性を指定する前記手段が、前記セットのパーツ画像内の各パーツ画像の色、前記セットのパーツ画像内の各パーツ画像のきめ、前記セットのパーツ画像内の各パーツ画像に適用すべきクラッディング、前記セットのパーツ画像内の各パーツ画像の方向、前記セットのパーツ画像内の各パーツ画像のサイズ、前記セットのパーツ画像内の各パーツ画像の透明度、前記セットのパーツ画像内の各パーツ画像の運動あるいは複数の運動の方向、前記セットのパーツ画像内の各パーツ画像の運動のタイプ、前記セットのパーツ画像内の各パーツ画像の複数の運動のタイプ、前記セットのパーツ画像内の各パーツ画像の運動のスピード、前記セットのパーツ画像内の各パーツ画像の複数の運動のスピード、前記セットのパーツ画像内の各パーツ画像に対して表示すべき時間、そして前記セットのパーツ画像内の各パーツ画像に対して表示すべき複数の時間の、少なくとも一つを指定する手段を含む、請求項２９あるいは請求項３０による装置。
【請求項３２】
前記セットのパーツ画像をネットワーク内のサーバーから得る手段を含む、請求項２９から３１のいずれかによる装置。
【請求項３３】
前記ネットワークが移動電話ネットワークからなる、請求項３２による装置。
【請求項３４】
前記画像を、コンピュータ、パーソナル・デジタル・アシスタント及び移動電話の少なくとも一つの上に表示するのに用いるための、請求項２９から３３のいずれかによる装置。
【請求項３５】
複数のパーツ画像の中からの一セットのパーツ画像からなる前記セレクション、表示内で占拠すべき位置についての前記指定、そして前記セットのパーツ画像内の各パーツ画像の特性に関する前記指定の、少なくとも一つをテキスト・メッセージの形態で提供する手段からなる、請求項２９から３４のいずれかによる装置。
【請求項３６】
前記指定をテキスト・メッセージへの付加物として受信する手段を含む、請求項２９から３５のいずれかによる装置。
【請求項３７】
前記セレクションを表すための圧縮コードを用いる手段を含む、請求項２９から３６のいずれかによる装置。
【請求項３８】
画像を送信する装置であって、複数のパーツ画像の中から一セットのパーツ画像を指定する信号を送信する手段、前記セットのパーツ画像内の各パーツ画像に対して、表示内で占拠すべき位置を指定する信号を送信する手段、そして前記セットのパーツ画像内の各パーツ画像に対して特性を指定する信号を送信する手段からなる装置。
【請求項３９】
観点を指定する信号を送信する手段を含む、請求項３８による装置。
【請求項４０】
前記セットのパーツ画像内の各パーツ画像の特性を指定する信号を送信する前記手段が、前記セットのパーツ画像内の各パーツ画像の色、前記セットのパーツ画像内の各パーツ画像のきめ、前記セットのパーツ画像内の各パーツ画像に適用すべきクラッディング、前記セットのパーツ画像内の各パーツ画像の方向、前記セットのパーツ画像内の各パーツ画像のサイズ、前記セットのパーツ画像内の各パーツ画像の透明度、前記セットのパーツ画像内の各パーツ画像の運動あるいは複数の運動の方向、前記セットのパーツ画像内の各パーツ画像の運動のタイプ、前記セットのパーツ画像内の各パーツ画像の複数の運動のタイプ、前記セットのパーツ画像内の各パーツ画像の運動のスピード、前記セットのパーツ画像内の各パーツ画像の複数の運動のスピード、前記セットのパーツ画像内の各パーツ画像に対して表示すべき時間、そして前記セットのパーツ画像内の各パーツ画像に対して表示すべき複数の時間の、少なくとも一つを指定する信号を送信する手段からなる、請求項３８あるいは請求項３９による装置。
【請求項４１】
前記セットのパーツ画像をネットワーク内のサーバーから得る手段を含む、請求項３８から４０のいずれかによる装置。
【請求項４２】
前記ネットワークが移動電話ネットワークからなる、請求項４１による装置。
【請求項４３】
前記画像をコンピュータ、パーソナル・デジタル・アシスタント及び移動電話の少なくとも一つの上に表示するのに用いるための、請求項３８から４２のいずれかによる装置。
【請求項４４】
複数のパーツ画像の中からの一セットのパーツ画像からなる前記セレクション、表示内で占拠すべき位置についての前記指定、そして前記セットのパーツ画像内の各パーツ画像の特性に関する前記指定の、少なくとも一つを選択するためのテキスト・メッセージを提供する手段からなる、請求項３８から４３のいずれかによる装置。
【請求項４５】
指定を表す信号をテキスト・メッセージへの付加物として受信する手段を含む、請求項３８から４４のいずれかによる装置。
【請求項４６】
前記信号を圧縮コードとして提供する手段を含む、請求項３８から４５のいずれかによる装置。
【請求項４７】
画像を受信して作成する装置であって、複数のパーツ画像の中から一セットのパーツ画像を指定する信号を受信する手段、前記セットのパーツ画像内の各パーツ画像に対して、表示内で占拠すべき位置を指定する信号を受信する手段、前記セットのパーツ画像内の各パーツ画像に対して特性を指定する信号を受信する手段、そして前記信号に応答し、指定画像を生成して表示する手段からなる装置。
【請求項４８】
観点を指定する信号を受信する手段を含む、請求項４７による装置。
【請求項４９】
前記セットのパーツ画像内の各パーツ画像の特性を指定する信号を受信する前記手段が、前記セットのパーツ画像内の各パーツ画像の色、前記セットのパーツ画像内の各パーツ画像のきめ、前記セットのパーツ画像内の各パーツ画像に適用すべきクラッディング、前記セットのパーツ画像内の各パーツ画像の方向、前記セットのパーツ画像内の各パーツ画像のサイズ、前記セットのパーツ画像内の各パーツ画像の透明度、前記セットのパーツ画像内の各パーツ画像の運動あるいは複数の運動の方向、前記セットのパーツ画像内の各パーツ画像の運動のタイプ、前記セットのパーツ画像内の各パーツ画像の複数の運動のタイプ、前記セットのパーツ画像内の各パーツ画像の運動のスピード、前記セットのパーツ画像内の各パーツ画像の複数の運動のスピード、前記セットのパーツ画像内の各パーツ画像に対して表示すべき時間、そして前記セットのパーツ画像内の各パーツ画像に対して表示すべき複数の時間の、少なくとも一つを指定する信号を受信する手段を含む、請求項４７あるいは請求項４８による装置。
【請求項５０】
前記セットのパーツ画像をネットワーク内のサーバーから得る手段を含む、請求項４７から４９のいずれかによる装置。
【請求項５１】
前記ネットワークが移動電話ネットワークからなる、請求項５０による装置。
【請求項５２】
前記画像を、コンピュータ、パーソナル・デジタル・アシスタント及び移動電話の少なくとも一つの上に表示するのに用いるための、請求項４７から５１のいずれかによる装置。
【請求項５３】
複数のパーツ画像の中からの一セットのパーツ画像からなる前記セレクション、表示内で占拠すべき位置についての前記指定、そして前記セットのパーツ画像内の各パーツ画像の特性に関する前記指定の、少なくとも一つを選択するためのテキスト・メッセージを受信する手段を含む、請求項４７から５２のいずれかによる装置。
【請求項５４】
前記指定を圧縮コードとして提供する信号を受信する手段を含む、請求項４７から５３のいずれかによる装置。